(57)【要約】【課題】電気集じん機における汚れた極板部を簡単にメンテナンスすること。【解決手段】帯電極板部２の下部に、この帯電極板部２を支持し、かつ、筐体１の外部に延びた帯電極板部レール２２（第１レール）と、この帯電極板部レール２２の延長上に、上面を帯電極板部レール２２と同一の高さに設けた帯電極板部回転板レール２７（第２レール）と、この帯電極板部回転板レール２７を筐体１の外で水平に回転させる回転機構（帯電極板部回転板軸２４）を設けたことを特徴としたものである。この手段により帯電極板部２を引き出した後、帯電極板部２を回転させてメンテナンスを実施することができる。【選択図】図２
2010240585.tif 000002
【特許請求の範囲】
【請求項１】
箱型の筐体内に放電極と接地極とで構成される極板部を有する電気集じん機において、前記極板部の下部に設けて前記極板部を支持し、かつ、筐体の外部に延びた第１レールと、この第１レールの延長上に、上面を前記第１レールと同一の高さに設けた第２レールと、この第２レールを前記筐体の外で水平に回転させる回転機構を設けた電気集じん機。
【請求項２】
前記第１レールと前記第２レールは、前記極板部の下部に平行に２本設けた請求項１記載の電気集じん機。
【請求項３】
２本の前記第２レールが点対称となるような対称点を回転軸として回転することを特徴とする請求項２記載の電気集じん機。
【請求項４】
前記極板部は、前記筐体内を通過する風向に対し、縦２列横２列の計４台以上設け、前記第１レールは、１列の極板部を少なくとも２本の第１レールで縦列して支持し、前記第１レール上の手前側の極板部を引き出して、前記第２レール上に載せ、この状態でこの第２レールを、前記第１レールと直交するように回転させるとともに、隣り合った前記第２レールも前記第１レールと直交するように回転させた後、引き出された前記極板部を隣の前記第２レールに載せ、その後、前記第１レール上の奥側の極板部を前記第２レール上に引き出す構成の請求項１記載の電気集じん機。
【請求項５】
前記第１レール、前記第２レールの外側にレールガイドを設けることを特徴とした請求項１から４いずれかひとつに記載の電気集じん機。
【請求項６】
前記レールガイドにヒンジを設けることを特徴とした請求項５記載の電気集じん機。
【請求項７】
前記第１レールに、前記極板部が通常位置に配置されたときの移動防止となるストッパーを設けることを特徴とした請求項１から６いずれかひとつに記載の電気集じん機。
【請求項８】
移動防止用の前記ストッパーにヒンジを設けることを特徴とした請求項７記載の電気集じん機。
【請求項９】
前記第２レールの終端部に落下防止用のストッパーを設けることを特徴とした請求項１から８いずれかひとつに記載の電気集じん機。
【請求項１０】
落下防止用の前記ストッパーにヒンジを設けることを特徴とした請求項９記載の電気集じん機。
【請求項１１】
前記第２レールを移動可能な台車上に固定したことを特徴とした請求項１から１０いずれかひとつに記載の電気集じん機。
【請求項１２】
前記台車を上下させることができる機構を備えたことを特徴とする請求項１１記載の電気集じん機。
【発明の詳細な説明】
【技術分野】
【０００１】
本発明は、例えば切削加工現場における機械油によるオイルミストや粉塵等の混在した塵埃を捕集する電気集じん機に関する。
【背景技術】
【０００２】
従来、この種の電気集じん機におけるメンテナンスは、本体から集じんユニットを引き出すことが必要となるが、レールを敷いて一方向に引き出す方法が知られている（例えば、特許文献１参照）。
【０００３】
以下、その従来の電気集じん機の引き出す方法について図１１を参照しながら説明する。
【０００４】
図１１は従来の電気集じん機の引き出す際の概略構成図である。
【０００５】
図１１に示すように、電気集塵機本体１１１に収納された集塵ユニット１１２ａ、１１２ｂを電気集塵機本体１１１に設けた左右一対の本体レール１１３ａ、１１３ｂ及び同本体レール１１３ａ、１１３ｂに連設するよう電気集塵機本体１１１に対して設置される仮レール１２６に沿って機外に取り出し可能とした電気集塵機の集塵ユニット１１２ａ、１１２ｂの取り出し方法において、左右一対の仮レール１２６をフォークリフト１３６のフォーク１２４に設置し、集塵ユニット１１２ａ、１１２ｂの取り出し時、フォークリフト１３６を操作して仮レール１２６が本体レール１１３ａ、１１３ｂと連設状態となるようにし、この状態で集塵ユニット１１２ａ、１１２ｂを本体レール１１３ａ、１１３ｂ及び仮レール１２６に沿って機外に引き出すことができる。
【０００６】
しかし、このような場合には、フォークリフトの稼働範囲が必要となり、電気集塵機本体の設置スペースを広く取らなければならず、狭い空間への設置が困難となる。また、メンテナンスでは全ての集塵ユニットを降ろす必要があるため、手間と労力がかかる。
【先行技術文献】
【特許文献】
【０００７】
【特許文献１】特許第３４１６４６４号公報
【発明の概要】
【発明が解決しようとする課題】
【０００８】
このような従来の集塵ユニットの引き出し方法では、フォークリフトを使用するため電気集塵機本体の設置スペースを広く取らなければならないため、狭い空間への設置が困難となるという課題があった。また、メンテナンス時に集塵ユニット全体を確認するためには、集塵ユニットを降ろさなければならなかった。そのため、集塵ユニット全体の確認を、労力と時間をかけずに行えるメンテナンス方法の確立が要求されている。
【０００９】
本発明は、このような従来の課題を解決するものであり、小さな設置スペースに抑えることが可能となり、また、集じんユニットを降ろさずに集塵ユニット必要なメンテナンスを実施することのできる電気集じん機を提供することを目的としている。
【課題を解決するための手段】
【００１０】
本発明の電気集じん機は上記目的を達成するために、箱型の筐体内に放電極と接地極とで構成される極板部を有する電気集じん機において、前記極板部の下部に設けて前記極板部を支持し、かつ、筐体の外部に延びた第１レールと、この第１レールの延長上に、上面を前記第１レールと同一の高さに設けた第２レールと、この第２レールを前記筐体の外で水平に回転させる回転機構を設けたことを特徴としたものである。
【００１１】
この手段により極板部を引き出した後、極板部を回転させてメンテナンスを実施することができる電気集じん機が得られる。
【発明の効果】
【００１２】
本発明によれば、電気集じん機のメンテナンス時において、集じんユニットを下ろすことなく全体を確認することが可能となり、容易に、かつ確実に清掃を実施することができる。
【図面の簡単な説明】
【００１３】
【図１】本発明の実施の形態１の電気集じん機の側面図
【図２】本発明の実施の形態１の電気集じん機のＡ−Ａ断面図
【図３】本発明の実施の形態１の電気集じん機の分解図
【図４】本発明の実施の形態１の電気集じん機帯電極板部側の斜視図
【図５】本発明の実施の形態１の電気集じん機帯電極板部移動時の斜視図
【図６】本発明の実施の形態１の電気集じん機帯電極板部回転時の斜視図
【図７】本発明の実施の形態１の電気集じん機集じん極板部側の斜視図
【図８】本発明の実施の形態１の電気集じん機集じん極板部移動時の斜視図
【図９】本発明の実施の形態１の電気集じん機集じん極板部回転時の斜視図
【図１０】本発明の実施の形態１の帯電極板部回転板受け台の斜視図
【図１１】従来技術の代表図
【発明を実施するための形態】
【００１４】
以下、本発明の実施の形態について図面を用いて説明する。
【００１５】
（実施の形態１）
図１は本発明の実施の形態１に示す電気集じん機の側面図、図２は図１のＡ−Ａでの断面図、図３は分解図である。
【００１６】
図１に示すように、本実施の形態の電気集じん機は、筐体１の中に空気中に含まれる塵埃などに帯電させる帯電極板部２と、帯電した塵埃などを捕集する集じん極板部３によって構成されている。塵埃などを含んだ空気は、送風手段である送風機などにより、図１の矢印の方向に送風され、空気中に含まれる塵埃などは、帯電極板部２において帯電され、その後、集じん極板部３で捕集されることになる。本実施の形態では、集じん極板部３は、送風方向に対して左右２列、前後２列に設置されている。ここで、集じん極板部３は筐体１の送風出口側から見て左側前を集じん極板部４−１Ａ、左側後を集じん極板部４−１Ｂ、右側前を集じん極板部４−２Ａ、右側後を集じん極板部４−２Ｂとする。帯電極板部２および集じん極板部３の側面には帯電極板部碍子５および集じん極板部碍子６が固定されている。
【００１７】
帯電極板部２の下部には、帯電極板部２と集じん極板部３の境界面から、図１に示される風の流れと反対の方向に向けて電気集じん機の筐体１の外へ延びた２本の帯電極板部側台２１が、帯電極板部２の底面に沿って設置されている。また、この帯電極板部側台２１の上面には、帯電極板部側台２１の風向に平行な辺と同じ長さで２本の帯電極板部レール２２（第１レール）が皿ねじで固定されている。この帯電極板部レール２２は、超高分子量ポリエチレンをはじめとするエンジニアリングプラスチックの材質で形成されている。通常、帯電極板部２は、この帯電極板部レール２２の上に載せられて固定されている。また、帯電極板部側台２１の延長上には、帯電極板部２の底面の外周より大きい円形の帯電極板部回転板２３を設け、その中心には帯電極板部回転板２３に対して垂直な帯電極板部回転板軸２４を設ける。帯電極板部回転板２３は、この帯電極板部回転板軸２４を中心に回転可能となっている。
【００１８】
この帯電極板部回転板２３の上面には、帯電極板部２の風向に平行な辺と同じ長さ以上で、かつ帯電極板部回転板２３の外周に合わせた形状の帯電極板部回転板レール２７（第２レール）が、設けられている。この帯電極板部回転板レール２７は、帯電極板部レール２２の延長上でかつその上面と同一面となるように皿ねじで固定されている。また、この帯電極板部回転板レール２７は、帯電極板部レール２２と同様に超高分子量ポリエチレンをはじめとするエンジニアリングプラスチックの材質で形成されている。帯電極板部回転板軸２４は、２本の帯電極板部回転板レール２７が点対象となる対称点に設けられる。すなわち、帯電極板部回転板軸２４は、帯電極板部回転板レール２７を回転させる回転機構となっている。
【００１９】
また、帯電極板部側台２１、帯電極板部回転板２３の各側面に帯電極板部レール２２および帯電極板部回転板レール２７の上面より高い位置まで伸びた板形状の帯電極板部レールガイド２８、帯電極板部回転板レールガイド２９を設ける。これらの帯電極板部レールガイド２８、帯電極板部回転板レールガイド２９は、帯電極板部側台２１および帯電極板部回転板２３にネジで固定し取外しが可能な構造とする。
【００２０】
また、帯電極板部側台２１の上面に帯電極板部レール２２の上面より高い位置まで伸びた板形状の帯電部側移動防止用ストッパー３０を設け、帯電極板部側台２１にネジで固定し取外しが可能な構造とする。帯電部側移動防止用ストッパー３０は、帯電極板部２が使用状態の位置から移動しないようにするものである。
【００２１】
また、帯電極板部回転板レール２７の風上側端部となる位置には、帯電極板部回転板レール２７上面より高い位置まで伸びた板形状の帯電部側落下防止用ストッパー３１を設ける。この帯電部側落下防止用ストッパー３１は、帯電極板部回転板２３にネジで固定し取外しが可能な構造とする。
【００２２】
一方、集じん極板部３の下部には、帯電極板部２と集じん極板部３の境界面から、図１に示される風の流れの方向に向けて電気集じん機の筐体１の外へ延びた３本の集じん極板部側台４１が左右の集じん極板部３の底面に沿って設置されている。また、集じん極板部側台４１の上面には、集じん極板部側台４１の風向に平行な辺と同じ長さの集じん極板部レール４２が皿ねじで固定されている。この集じん極板部レール４２は、超高分子量ポリエチレンをはじめとするエンジニアリングプラスチックの材質で形成されている。通常、集じん極板部３は、この集じん極板部レール４２の上に載せられて固定されている。また、集じん極板部側台４１の延長上には、集じん極板部３の底面の外周より大きい円形の第１集じん極板部回転板４３−１および第２集じん極板部回転板４３−２を設ける。第１集じん極板部回転板４３−１、第２集じん極板部回転板４３−２は、それぞれ隣り合う２本の集じん極板部側台４１をわたるようにして設けられる。第１集じん極板部回転板４３−１、第２集じん極板部回転板４３−２の中心には、第１これらに対して垂直な第１集じん極板部回転板軸４４−１および第２集じん極板部回転板軸４４−２が設置されている。
【００２３】
また、第１集じん極板部回転板４３−１の上面には、集じん極板部３の風向に平行な辺と同じ長さ以上の第１集じん極板部回転板レール４７−１が、集じん極板部レール４２の延長上で、その上面と同一面となるように皿ねじで固定されている。この第１集じん極板部回転板レール４７−１は、集じん極板部レール４２と同様に、超高分子量ポリエチレンをはじめとするエンジニアリングプラスチックの材質で形成されている。また、第２集じん極板部回転板４３−２についても同様の第２集じん極板部回転板レール４７−２が設けられることになる。
【００２４】
また、帯電部側と同様に集じん極板部側台４１、第１集じん極板部回転板４３−１および第２集じん極板部回転板４３−２の各側面に第１集じん極板部回転板レール４７−１および第２集じん極板部回転板レール４７−２の上面より高い位置まで伸びた板形状の集じん極板部レールガイド４８、集じん極板部回転板レールガイド４９を設ける。この集じん極板部レールガイド４８、集じん極板部回転板レールガイド４９は、集じん極板部レール４２、第１集じん極板部回転板４３−１および第２集じん極板部回転板４３−２にネジで固定し取外しが可能な構造とする。
【００２５】
また、集じん極板部側台４１の上面には、第１集じん極板部回転板４３−１、第２集じん極板部回転板４３−２の上面より高い位置まで伸びた板形状の集じん部側移動防止用ストッパー５０を設け、集じん極板部側台４１にネジで固定し取外しが可能な構造とする。
【００２６】
また、第１集じん極板部回転板４３−１および第２集じん極板部回転板４３−２の上面に第１集じん極板部回転板レール４７−１および第２集じん極板部回転板レール４７−２の上面より高い位置まで伸びた板形状の集じん部側落下防止用ストッパー５１を設け、第１集じん極板部回転板４３−１および第２集じん極板部回転板４３−２にネジで固定し取外しが可能な構造とする。
【００２７】
以上の構成により、本実施の形態の動作について説明する。所定の電圧を印加した帯電極板部２、集じん極板部３の間を粉塵、オイルミスト等を含んだ空気が通過することにより、帯電極板部２、帯電極板部碍子５および集じん極板部３、集じん極板部碍子６に塵埃などの汚れ成分が付着する。空気中の汚れが帯電極板部２および集じん極板部３に付着して集塵効率が悪くなった場合には圧力損失が増大し、かつ、集塵効率が低下する。また、帯電極板部碍子５および集じん極板部碍子６に空気中の汚れが付着した場合にはスパークが発生し安全性に問題が発生する。このため、定期的に帯電極板部２、帯電極板部碍子５および集じん極板部３、集じん極板部碍子６のメンテナンスを実施することが必要となってくる。
【００２８】
まず、帯電極板部２のメンテナンスについて説明する。図４では、帯電極板部２は、通常使用状態の位置にある。メンテナンス実施時は、まず、帯電部側移動防止用ストッパー３０をはずして、帯電極板部２を移動できるようにする。次に、図５で示すように、帯電極板部２を、帯電極板部レール２２の上を人力で滑らして移動させ、帯電極板部回転板レール２７の上に載せる。次に、帯電極板部２が、帯電極板部回転板レール２７の上へ完全に移動した後、すなわち、帯電部側落下防止用ストッパー３１に接触するまで移動した後、図６で示すように、帯電極板部回転板２３を帯電極板部回転板軸２４を中心に回転させる。このことにより、帯電極板部２の全体が露出されることになり、容易にメンテナンス作業が実施できる。従って、帯電極板部碍子５を含む帯電極板部２全体の状態を確認し、汚れのひどいところは拭き取ったり、不備のあるところは部品を交換することが容易に行うことができる。
【００２９】
次に、集じん極板部３の風下側から向かって左側の列メンテナンスについて説明する。図７では、集じん極板部３は、通常使用状態の位置にある。メンテナンス実施時は、まず、集じん部側移動防止用ストッパー５０をはずして、集じん極板部３を移動できるようにする。次に、図８で示すように、集じん極板部４−１Ａを、集じん極板部レール４２の上を人力で滑らせて移動させ、第１集じん極板部回転板レール４７−１の上に載せる。集じん極板部４−１Ａが第１集じん極板部回転板レール４７−１の上へ完全に移動してきた後、すなわち、集じん部側落下防止用ストッパー５１に接触するまで移動した後、図９で示すように、第１集じん極板部回転板４３−１を第１集じん極板部回転板軸４４−１を中心に回転させる。このことにより、集じん極板部４−１Ａの全体が露出されることになる。
【００３０】
次に、２列目の集じん極板部３（集じん極板部４−１Ｂ）のメンテナンスについて説明する。まず、引き出した１列目の集じん極板部４−１Ａを載せた第１集じん極板部回転板４３−１を、極板が風向に直交するように９０度回転さる。次に、第１集じん極板部回転板レール４７−１と第２集じん極板部回転板レール４７−２が同一直線上に並ぶように第２集じん極板部回転板４３−２を９０度回転させる。その後、集じん極板部４−１Ａを第１集じん極板部回転板レール４７−１上から第２集じん極板部回転板レール４７−２上へ移動させる。その後、空になった第１集じん極板部回転板４３−１を元の位置へ９０度回転させて戻す。次に２列目の集じん極板部４−１Ｂを移動させて、１列目の集じん極板部４−１Ａと同様に空になった第１集じん極板部回転板４３−１に載せて回転する。このようにして、２列目の集じん極板部４−１Ｂについても容易にメンテナンスができることになる。同様に、下流側から向かって右側の集じん極板部４−２Ａ、集じん極板部４−２Ｂについても移動させてメンテナンスを行うことができる。従って、集じん極板部碍子６を含む集じん極板部３の状態を確認し、汚れのひどいところは拭き取ったり、不備のあるところは部品を交換することが容易に行うことができる。
【００３１】
また、帯電極板部レール２２、帯電極板部回転板レール２７、集じん極板部レール４２、第１集じん極板部回転板レール４７−１、第２集じん極板部回転板レール４７−２は、エンジニアリングプラスチックで形成されているので、帯電極板部２、集じん極板部３を滑らせることが容易になっている。
【００３２】
また、帯電極板部レールガイド２８、帯電極板部回転板レールガイド２９は、帯電極板部２を引き出す際に、帯電極板部レール２２、帯電極板部回転板レール２７から落ちないようにすることができる。集じん極板部レールガイド４８、集じん極板部回転板レールガイド４９についても同様の作用を示す。
【００３３】
また、帯電極板部レールガイド２８、帯電極板部回転板レールガイド２９、帯電部側落下防止用ストッパー３１を帯電極板部レール２２、または帯電極板部回転板レール２７にネジで固定し取外しが可能な構造とすることで、帯電極板部２を帯電極板部レール２２、帯電極板部回転板レール２７から降ろす際に、帯電極板部レールガイド２８、帯電極板部回転板レールガイド２９、帯電部側落下防止用ストッパー３１自身が邪魔にならず降ろし易くすることが可能となる。（集じん極板部レールガイド４８、集じん極板部回転板レールガイド４９、集じん部側落下防止用ストッパー５１についても同様の作用を示す。）
なお、帯電極板部レールガイド２８、帯電極板部回転板レールガイド２９および集じん極板部レールガイド４８、集じん極板部回転板レールガイド４９の固定をヒンジとし、折りたためる構造としても良い。
【００３４】
また、帯電部側移動防止用ストッパー３０、集じん部側移動防止用ストッパー５０の固定をヒンジとし、折りたためる構造としても良い。
【００３５】
また、帯電部側落下防止用ストッパー３１、集じん部側落下防止用ストッパー５１の固定をヒンジとし、折りたためる構造としても良い。
【００３６】
なお、帯電極板部レール２２、帯電極板部回転板レール２７および集じん極板部レール４２、集じん極板部回転板レール４７の材料を金属にしてもよい。あるいは、帯電極板部レール２２、帯電極板部回転板レール２７および集じん極板部レール４２、集じん極板部回転板レール４７を設ける代わりに、帯電極板部２および集じん極板部３の下側に車輪を設けても良い。
【００３７】
また、帯電極板部レール２２、帯電極板部回転板レール２７および集じん極板部レール４２、集じん極板部回転板レール４７を、ベルトやローラを用いて構成しても良い。
【００３８】
また、帯電極板部回転板軸２４および第１集じん極板部回転板軸４４−１および第２集じん極板部回転板軸４４−２はウォームギヤやギヤードモータを用いて、回転させても良い。
【００３９】
また、帯電極板部回転板レール２７を取り付けた帯電極板部回転板２３ならびに帯電極板部回転板軸２４および第１集じん極板部回転板レール４７−１および第２集じん極板部回転板レール４７−２を取り付けた第１集じん極板部回転板４３−１および第２集じん極板部回転板４３−２ならびに第１集じん極板部回転板軸４４−１および第２集じん極板部回転板軸４４−２は、帯電極板部回転板軸受２６および第１集じん極板部回転板軸受４６−１および第２集じん極板部回転板軸受４６−２より取外すことが可能である。
【００４０】
また、図１０のように、帯電極板部回転板２３と帯電極板部回転板軸２４は、帯電極板部回転板受け台３２にて支えてもよい。帯電極板部回転板受け台３２は、帯電極板部回転板受け台キャスター３３を設けられていて移動可能になっている。移動可能とすることにより、帯電極板部回転板２３不要時、すなわち、通常の運転時には帯電極板部回転板２３を別の場所で保管し、設置スペースの有効活用ができる。また、帯電極板部回転板受け台３２には、ウォームギヤ、電動機、油圧機構を伴った昇降機能を持たせることにより、筐体１を上下に２段以上積んだときにも対応することができる。なお、集じん極板部３も同様の構成にて対応することができる。
【産業上の利用可能性】
【００４１】
平行電極板に高電圧を印加して集じんする電気集じん機において、帯電部の前、帯電部と集じん部の間および集じん部の後に仕切板を設け、オイルミストなどを含んだ空気が平行電極板間を通過するようにすることにより、高い集じん効率を得ることができる。また、粘着性のある集じん物質にも対応できるため塵や埃だけでなくオイルミストや焼却施設の煤塵処理、食堂等の飲食店の厨房などの油汚れの洗浄用途にも対応できる。
【符号の説明】
【００４２】
１        筐体
２        帯電極板部
３        集じん極板部
４−１Ａ  集じん極板部
４−１Ｂ  集じん極板部
４−２Ａ  集じん極板部
４−２Ｂ  集じん極板部
２１      帯電極板部側台
２２      帯電極板部レール
２３      帯電極板部回転板
２４      帯電極板部回転板軸
２７      帯電極板部回転板レール
２８      帯電極板部レールガイド
２９      帯電極板部回転板レールガイド
３０      帯電部側移動防止用ストッパー
３１      帯電部側落下防止用ストッパー
３２      帯電極板部回転板受け台
３３      帯電極板部回転板受け台キャスター
４１      集じん極板部側台
４２      集じん極板部レール
４３−１  第１集じん極板部回転板
４３−２  第２集じん極板部回転板
４４−１  第１集じん極板部回転板軸
４４−２  第２集じん極板部回転板軸
４５−１  第１集じん極板部回転板台
４５−２  第２集じん極板部回転板台
４６−１  第１集じん極板部回転板軸受
４６−２  第２集じん極板部回転板軸受
４７−１  第１集じん極板部回転板レール
４７−２  第２集じん極板部回転板レール
４８      集じん極板部レールガイド
４９      集じん極板部回転板レールガイド
５０      集じん部側移動防止用ストッパー
５１      集じん部側落下防止用ストッパー
【図１】
2010240585.tif 000003
【図２】
2010240585.tif 000004
【図３】
2010240585.tif 000005
【図４】
2010240585.tif 000006
【図５】
2010240585.tif 000007
【図６】
2010240585.tif 000008
【図７】
2010240585.tif 000009
【図８】
2010240585.tif 000010
【図９】
2010240585.tif 000011
【図１０】
2010240585.tif 000012
【図１１】
2010240585.tif 000013